(57)【要約】【課題】プレス加工が簡易に行うことができ、製造コストを低廉化することができるとともに、経年変化せず、強度の大きな手摺り用ブラケットを提供すること。【解決手段】手摺り２を固定する手摺り支持部３と、壁面に固定される壁面取付座４と、手摺り支持部３及び壁面取付座４を接続するアーム部５とを一体に形成してなる手摺り用ブラケットを、金属板材をプレス加工することにより、アーム部５の一方の側面を基準として、他方の側面側に手摺り支持部３及び壁面取付座４が延設されるように成形する。【選択図】図１
2005097993.tif 000002
【特許請求の範囲】
【請求項１】
手摺りを固定する手摺り支持部と、壁面に固定される壁面取付座と、手摺り支持部及び壁面取付座を接続するアーム部とを一体に形成した手摺り用ブラケットにおいて、手摺り用ブラケットを、板材をプレス加工することにより、前記アーム部の一方の側面を基準として、他方の側面側に手摺り支持部及び壁面取付座が延設されるように成形してなることを特徴とする手摺り用ブラケット。
【請求項２】
左右が対称になるように製造した請求項１記載の２種類の手摺り用ブラケットを、手摺り用ブラケットのアーム部の一方の側面同士を突き合わせて使用するようにしたことを特徴とする手摺り用ブラケット。
【発明の詳細な説明】
【技術分野】
【０００１】
本発明は、手摺り用ブラケットに関し、特に、プレス加工が簡易に行うことができ、製造コストを低廉化することができる手摺り用ブラケットに関するものである。
【背景技術】
【０００２】
一般に、手摺り用ブラケットは、手摺りを固定する手摺り支持部と、壁面に固定される壁面取付座と、手摺り支持部及び壁面取付座を接続するアーム部とが一体に形成されている。
このような手摺り用ブラケットは、近年ではデザインの多種多様化が進んでいるが、従来、手摺り用ブラケットは、亜鉛ダイカスト等で製造することが多く、製造コストを低廉化することが困難なだけでなく、経年変化により、強度が低下し、大きな荷重をかけると折れる等の問題があった。
【発明の開示】
【発明が解決しようとする課題】
【０００３】
本発明は、上記従来の手摺り用ブラケットが有する問題点に鑑み、プレス加工が簡易に行うことができ、製造コストを低廉化することができるとともに、経年変化せず、強度の大きな手摺り用ブラケットを提供することを目的とする。
【課題を解決するための手段】
【０００４】
上記目的を達成するため、本発明の手摺り用ブラケットは、手摺りを固定する手摺り支持部と、壁面に固定される壁面取付座と、手摺り支持部及び壁面取付座を接続するアーム部とを一体に形成した手摺り用ブラケットにおいて、手摺り用ブラケットを、板材をプレス加工することにより、前記アーム部の一方の側面を基準として、他方の側面側に手摺り支持部及び壁面取付座が延設されるように成形してなることを特徴とする。
【０００５】
この場合において、左右が対称になるように製造した上記２種類の手摺り用ブラケットを、手摺り用ブラケットのアーム部の一方の側面同士を突き合わせて使用することができる。
【発明の効果】
【０００６】
本発明の手摺り用ブラケットは、手摺りを固定する手摺り支持部と、壁面に固定される壁面取付座と、手摺り支持部及び壁面取付座を接続するアーム部とを一体に形成した手摺り用ブラケットにおいて、手摺り用ブラケットを、板材をプレス加工することにより、前記アーム部の一方の側面を基準として、他方の側面側に手摺り支持部及び壁面取付座が延設されるように成形することから、プレス加工が簡易に行うことができ、製造コストを低廉化することができるとともに、経年変化せず、強度的にも優れている。
【０００７】
また、左右が対称になるように製造した上記２種類の手摺り用ブラケットを、手摺り用ブラケットのアーム部の一方の側面同士を突き合わせて使用することにより、安定した形状を体現するとともに、必要とされる強度が大きい場合にも容易に対応することができる。
【発明を実施するための最良の形態】
【０００８】
以下、本発明の手摺り用ブラケットの実施の形態を図面に基づいて説明する。
【実施例１】
【０００９】
図１に、本発明の手摺り用ブラケットの一実施例を示す。
この手摺り用ブラケット１Ａ、１Ｂは、 手摺り２を固定する手摺り支持部３と、壁面に固定される壁面取付座４と、手摺り支持部３及び壁面取付座４を接続するアーム部５とを一体に形成している。
そして、この手摺り用ブラケット１Ａ、１Ｂは、金属板材をプレス加工することにより、前記アーム部５の一方の側面を基準として、他方の側面側に手摺り支持部３及び壁面取付座４が延設されるように手摺り用ブラケット１Ａ、１Ｂを成形している。
【００１０】
ところで、本実施例においては、図１に示すように、左右が対称になるように製造した上記２種類の手摺り用ブラケット１Ａ、１Ｂを、手摺り用ブラケット１Ａ、１Ｂのアーム部５の一方の側面同士を突き合わせて使用し、これにより、手摺り用ブラケット１Ａ、１Ｂに安定した形状を体現するとともに、必要とされる強度が大きい場合にも容易に対応できるようにしているが、必要とされる強度がそれほど大きくない場合には、手摺り用ブラケット１Ａ、１Ｂのいずれか一方を単独で使用することもできる。
【００１１】
手摺り２は、例えば木や金属の棒からなり、手摺り用ブラケット１Ａ、１Ｂに支持されることにより、床や階段の壁６に沿って配設される。
【００１２】
手摺り支持部３は、円弧板状のアーム部５の上部を折曲することにより略水平に形成されており、手摺り２をねじ固定するためのねじ穴３１を備えている。
また、この手摺り支持部３は、丸棒状の手摺り２を支持するために、上面が緩い曲面を付して形成されている。
【００１３】
壁面取付座４は、円弧板状のアーム部５の下部を折曲することにより略垂直に形成されており、壁面にねじ固定するためのねじ穴４１、４２を備えている。
上のねじ穴４１はだるま穴、下のねじ穴４２はスリット穴にそれぞれ形成されており、ねじ固定がしやすいように配慮されている。
また、だるま穴として形成されたねじ穴４１の端部には、ねじ頭部が挿通する位置でこのねじ頭部を位置決めするストッパ片４３が設けられており、これにより、手摺り用ブラケットを取り外す際に、ねじ穴４１の小径部から移動させたねじ頭部がねじ穴４１の縁部に引っ掛かることがなく、手摺り用ブラケットを容易に取り外すことができるようにしている。
【００１４】
アーム部５は、本実施例では、円弧状に形成された所定厚みの長板からなり、上部に手摺り支持部３、下部に壁面取付座４をそれぞれ一体に備えている。
なお、このアーム部５は、図示省略するカバーを装着することにより被覆し化粧することができる。このカバーは、手摺り支持部３や壁面取付座４を被覆するように装着することも可能である。
【００１５】
ところで、左右が対称になるように製造した２種類の手摺り用ブラケット１Ａ、１Ｂを使用する場合、手摺り用ブラケット１Ａ、１Ｂのアーム部５の一方の側面同士を単に突き合わせて使用するほか、図２に示すように、実質的に左右が対称になるように製造した２種類の手摺り用ブラケット１Ａ、１Ｂのうちの一方、例えば、手摺り用ブラケット１Ａのアーム部５に係止孔５１を、他方の手摺り用ブラケット１Ｂのアーム部５に係止爪５２をそれぞれ形成し、係止爪５２を係止孔５１に挿入後、かしめてたり、図３に示すように、手摺り用ブラケット１Ａ、１Ｂのアーム部５同士をビス７で係止することにより、両者を一体化した状態で使用することもできる。
【００１６】
かくして、本実施例の手摺り用ブラケットは、手摺り２を固定する手摺り支持部３と、壁面に固定される壁面取付座４と、手摺り支持部３及び壁面取付座４を接続するアーム部５とを一体に形成した手摺り用ブラケットにおいて、手摺り用ブラケットを、板材をプレス加工することにより、前記アーム部５の一方の側面を基準として、他方の側面側に手摺り支持部３及び壁面取付座４が延設されるように成形することから、プレス加工が簡易に行うことができ、製造コストを低廉化することができる。
そして、左右が対称になるように製造した上記２種類の手摺り用ブラケットを、手摺り用ブラケットのアーム部５の一方の側面同士を突き合わせて使用することにより、安定した形状を体現するとともに、必要とされる強度が大きい場合にも容易に対応することができる。
【００１７】
以上、本発明の実施例を説明したが、本発明の手摺り用ブラケットの構成は、この実施例の記載に限定されるものではなく、例えば、手摺り用ブラケット１Ａ、１Ｂは一方のみを使用することができるなど、その趣旨を逸脱しない範囲において適宜に変更することが可能である。
【産業上の利用可能性】
【００１８】
本発明の手摺り用ブラケットは、手摺り支持部及び壁面取付座をアーム部の同じ側面側に延設することにより、プレス加工を簡易にし製造コストを低廉化することができるとともに、経年変化せず、強度的にも優れているという特性を有していることから、手摺り用ブラケットの用途に好適に用いることができる。
【図面の簡単な説明】
【００１９】
【図１】本発明の手摺り用ブラケットの一実施例を示し、（ａ）はその側面図、（ｂ）は同平面図、（ｃ）は同正面図である。
【図２】本発明の手摺り用ブラケットの変形実施例を示し、（ａ）はその側面図、（ｂ）は同正面一部断面図である。
【図３】本発明の手摺り用ブラケットの変形実施例を示す正面一部断面図である。
【符号の説明】
【００２０】
１Ａ  手摺り用ブラケット
１Ｂ  手摺り用ブラケット
２    手摺り
３    手摺り支持部
３１  ねじ穴
４    壁面取付座
４１  ねじ穴
４２  ねじ穴
５    アーム部
５１  係止孔
５２  係止爪
６    壁
７    ビス
【図１】
2005097993.tif 000003
【図２】
2005097993.tif 000004
【図３】
2005097993.tif 000005